(57)【特許請求の範囲】
【請求項１】
釣り用リールのリール本体に第１回転軸回りに回転自在に装着される回転体に回転自在に装着され、手の指先で前記回転体を回転操作するための釣り用リールのつまみ状ハンドル把手であって、
前記回転体の前記第１回転軸と間隔を隔てた位置に前記第１回転軸と平行な第２回転軸回りに回転自在に装着され、前記第２回転軸方向に沿った長さが前記第２回転軸と直交する方向に沿った長さより長いハンドルつまみと、
前記ハンドルつまみの少なくとも外周面を覆うように装着された皮革製のカバー部材と、を備え、
前記カバー部材は、糸により縫い合わされる少なくとも一つの縫い合わせ部を有し、
前記ハンドルつまみは、幅広面と幅狭面とを有する扁平棒状の部材であり、
前記縫い合わせ部は、前記ハンドルつまみの前記幅広面を避けて配置される、釣り用リールのつまみ状ハンド把手。
【請求項２】
前記回転体は、両軸受リール又はスピニングリールの前記リール本体に回転自在に装着されたハンドルアームであり、
前記ハンドルつまみは、前記ハンドルアームの先端に回転自在に装着されている、請求項１に記載の釣り用リールのつまみ状ハンドル把手。
【請求項３】
前記回転体は、片軸受リールの前記リール本体に回転自在に装着された外フランジ部であり、
前記ハンドルつまみは、前記外フランジ部の外周側側面に回転自在に装着されている、請求項１に記載の釣り用リールのつまみ状ハンドル把手。
【請求項４】
前記ハンドルつまみは、前記縫い合わせ部に沿って形成された溝部を有する、請求項１から３のいずれかに記載の釣り用リールのつまみ状ハンドル把手。
【請求項５】
前記ハンドルつまみは、前記溝部を横断するように前記溝部に沿って間隔を隔てて配置され、前記糸が貫通可能な糸貫通部を有する、請求項４に記載の釣り用リールのつまみ状ハンドル把手。
【請求項６】
前記カバー部材は皮革素材を袋縫いして形成され、前記回転体側と逆側から前記ハンドルつまみに装着されている、請求項１から４のいずれかに記載の釣り用リールのつまみ状ハンドル把手。
【請求項７】
前記ハンドルつまみは、前記回転体側に他の部分より小径の小径部を有し、
前記カバー部材は、前記小径部を被覆可能な長さを有し、
前記カバー部材を前記小径部被覆部分で固定する環状の固定部材をさらに備える、請求項６に記載の釣り用リールのつまみ状ハンドル把手。
【請求項８】
前記固定部材は、加熱型収縮チューブである、請求項７に記載の釣り用リールのつまみ状ハンドル把手。
【請求項９】
前記カバー部材の前記回転体側の端部は絞り加工されている、請求項６に記載の釣り用リールのつまみ状ハンドル把手。
【請求項１０】
前記ハンドルつまみは実質的に前記第２軸方向に長い棒状部材であり、その外周面に環状に形成された環状溝部を有し、
前記カバー部材は前記環状溝部に実質的に面一となるように装着されている、請求項１から４のいずれかに記載の釣り用リールのつまみ状ハンドル把手。
【請求項１１】
前記カバー部材は縫い合わされた２枚の皮革材料により構成されている、請求項１から４のいずれかに記載の釣り用リールのつまみ状ハンドル把手。
【請求項１２】
前記カバー部材は、前記回転体と逆側の端面を被覆可能に前記回転体側から装着され、
前記ハンドルつまみの前記回転体の逆側の端面に装着され前記端面で前記カバー部材を覆うキャップ部材をさらに備える、請求項１から４のいずれかに記載の釣り用リールのつまみ状ハンドル把手。
【請求項１３】
前記キャップ部材は、前記ハンドルつまみの前記端面に着脱自在にねじ込み固定される、請求項１２に記載の釣り用リールのつまみ状ハンドル把手。
【請求項１４】
前記カバー部材の外周側に被覆された熱収縮性を有する筒状の収縮部材をさらに備える、請求項１から４のいずれかに記載の釣り用リールのつまみ状ハンドル把手。
【請求項１５】
前記収縮部材は、前記カバー部材の外周面を臨み得る開口を有する、請求項１４に記載の釣り用リールのつまみ状ハンドル把手。
【請求項１６】
前記カバー部材は、前記ハンドルつまみに着脱自在に装着されている、請求項１から１５のいずれかに記載の釣り用リールのつまみ状ハンドル把手。
【請求項１７】
前記カバー部材は、前記回転体側に少なくとも外周面の一方から他方に向けて延びて他方と重なり合う重畳部と、前記重畳部を係止するための面ファスナーとを有する、請求項１６に記載の釣り用リールのつまみ状ハンドル把手。
【請求項１８】
釣り用リールのリール本体に第１回転軸回りに回転自在に装着される回転体に前記第１回転軸と平行な第２回転軸回りに回転自在に装着され、手の指先で前記回転体を回転操作するための釣り用リールのハンドルつまみをカバーするカバー部材であって、
前記ハンドルつまみの少なくとも外周面を前記外周面の表面に合わせてカバーする皮革素材製のカバー部と、
前記カバー部を前記ハンドルつまみに固定するための固定部と、を備え、
前記ハンドルつまみは、前記外周面が幅広面と幅狭面とを有する扁平棒状の部材であり、
前記カバー部は、糸により縫い合わされる少なくとも一つの縫い合わせ部を有し、
前記縫い合わせ部は、前記ハンドルつまみの前記外周面の前記幅広面を避けて配置される、ハンドルつまみのカバー部材。
【請求項１９】
前記カバー部は、前記皮革素材を前記ハンドルつまみの前記外周面を含む表面に合わせて袋縫いして形成されている、請求項１８に記載のハンドルつまみのカバー部材。
【請求項２０】
前記カバー部は２枚の皮革部材を袋縫いして形成されている、請求項１９に記載のハンドルつまみのカバー部材。
【請求項２１】
前記ハンドルつまみの横断面は複数の角部を有する多角形状であり、
前記カバー部の前記縫い合わせ部は前記角部に配置される、請求項１９又は２０に記載のハンドルつまみのカバー部材。
【請求項２２】
前記ハンドルつまみの外側面には、前記第２回転軸方向に沿って溝部が形成されており、
前記カバー部の前記縫い合わせ部と前記溝部に配置される、請求項１９又は２０に記載のハンドルつまみのカバー部材。
【請求項２３】
前記固定部は、前記カバー部と一体形成され、カバー部より小径の小口を有している、請求項１８から２２のいずれかに記載のカバー部材。
【請求項２４】
前記固定部は、前記回転体側に少なくとも外周面の一方から他方に向けて延びて他方と重なり合う重畳部と、前記重畳部を係止するための面ファスナーとを有する、請求項１８から２２のいずれかに記載のカバー部材。
【発明の詳細な説明】
【０００１】
【発明の属する技術分野】
本発明は、ハンドル把手及びカバー部材、特に、釣り用リールのリール本体に回転自在に装着されるハンドルアームの先端に回転自在に装着され、手の指先で回転操作するための釣り用リールのつまみ状ハンドル把手そのカバー部材に関する。
【０００２】
【従来の技術】
スピニングリールや両軸受リールや片軸受リールなどの釣り用リールには、ロータ又はスプールを回転させるための回転操作部としてのハンドル組立体が設けられている。ハンドル組立体は、ハンドル軸と一体回転するハンドルアームと、ハンドルアームの先端に回転自在に装着されたハンドル把手とを有している。ハンドル把手には、Ｔ字状の掌で握るための握り状ハンドル把手と、棒状の指先でつまむつまみ状ハンドル把手との二種類のものがある。
【０００３】
握り状ハンドル把手は、掌で握ってハンドル組立体を回す操作を行うものであり、通常は、巻き上げに力を要するハンドルアームの長さが長いスピニングリールや大型の両軸受リールに使用されている。
【０００４】
つまみ状ハンドル把手は、指先でつまんで操作を行うものであり、通常は、高速巻き上げを要する小型のスピニングリールや両軸受リールに使用されている。とくに、操作性や回転バランスを向上させるためにハンドルアームの両端にハンドル把手を設ける場合、握り状のものではなくつまみ状のものが使用されることが多い。
【０００５】
また、片軸受リールには、回転操作部としてスプールの外フランジ部につまみ状ハンドル把手が直接設けられている。
【０００６】
このようなつまみ状ハンドル把手は、ハンドルアームの先端又は外フランジ部に固定された把手軸に回転自在に装着されている。つまみ状ハンドル把手の材質としては、従来、形を作りやすく軽量な合成樹脂製のものが広く使用されている。合成樹脂製のものでは、すべりを防止するためにウレタンゴムや軟質ＰＶＣなどの弾性体で覆うことがある。
【０００７】
【発明が解決しようとする課題】
前記従来の構成では、すべりを防止するために弾性体でカバーすると、ハンドル把手が弾性体で覆われるために自然な高級感がある外観を得にくい。自然な高級感を得るために合成樹脂に代えてコルクや木などのすべりにくい木質素材を使用したものもある。しかし、木質素材のものは欠けやすく耐久性に難がある。
【０００８】
本発明の課題は、釣り用リールのつまみ状のハンドル把手において、滑りにくさや耐久性を維持して高級感が得られるようにすることにある。
【０００９】
【課題を解決するための手段】
発明１に係る釣り用リールのつまみ状ハンドル把手は、釣り用リールのリール本体に第１回転軸回りに回転自在に装着される回転体に回転自在に装着され、手の指先で回転体を回転操作するための把手であって、ハンドルつまみと、カバー部材とを備えている。ハンドルつまみは、回転体の第１回転軸と間隔を隔てた位置に第１回転軸と平行な第２回転軸回りに回転自在に装着され、第２回転軸方向に沿った長さが第２回転軸と直交する方向に沿った長さより長いものである。カバー部材は、ハンドルつまみの少なくとも外周面を覆うように装着された皮革製の部材である。カバー部材は、糸により縫い合わされる少なくとも一つの縫い合わせ部を有する。ハンドルつまみは、幅広面と幅狭面とを有する扁平棒状の部材である。縫い合わせ部は、ハンドルつまみの幅広面を避けて配置される。
【００１０】
このハンドル把手では、第２回転軸方向の長さが長い棒状のハンドルつまみが皮革製のカバー部材に覆われている。このため、たとえば合成樹脂より表面が滑りにくくなりかつ高級感のある外観が得られる。また、皮革は木質素材に比べて丈夫で柔軟性があるため耐久性も維持できる。
【００１１】
発明２に係る釣り用リールのつまみ状ハンドル把手は、発明１に記載の把手において、回転体は、両軸受リール又はスピニングリールのリール本体に回転自在に装着されたハンドルアームであり、ハンドルつまみは、ハンドルアームの先端に回転自在に装着されている。この場合には、両軸受リール又はスピニングリールのハンドル把手が高級感のある外観なり、かつそれらの耐久性も維持できる。
【００１２】
発明３に係る釣り用リールのつまみ状ハンドル把手は、発明１に記載の把手において、回転体は、片軸受リールのリール本体に回転自在に装着された外フランジ部であり、ハンドルつまみは、外フランジ部の外周側側面に回転自在に装着されている。この場合には、片軸受リールのハンドル把手が高級感のある外観なり、かつそれらの耐久性も維持できる。
【００１３】
発明４に係る釣り用リールのつまみ状ハンドル把手は、発明１から３のいずれかに記載の把手において、ハンドルつまみは、縫い合わせ部に沿って形成された溝部を有する。この場合には、皮革製のカバー部材を縫い合わせたときに他の部分より厚くなる縫い合わせ部が溝部にはまりこんで表面側に盛り上がりにくくなる。このため、つまみの見栄えが良好になるとともに、つまんだときに違和感が生じにくくなる。
【００１４】
発明５に係る釣り用リールのつまみ状ハンドル把手は、発明４に記載の把手において、ハンドルつまみは、溝部を横断するように溝部に沿って間隔を隔てて配置され、糸が貫通可能な糸貫通部を有する。この場合には、縫い合わせ部を溝部にはめ込んだ状態で糸貫通孔に糸を通せば、ハンドルつまみ毎カバー部材を糸で縫い合わせることができ、カバー部材がハンドルつまみに確実に固定される。
【００１５】
発明６に係る釣り用リールのつまみ状ハンドル把手は、発明１から４のいずれかに記載の把手において、カバー部材は皮革素材を袋縫いして形成され、回転体と逆側からハンドルつまみに装着されている。この場合には、外周面に加えて逆側端面もカバーでき、ハンドルつまみの大部分をカバーできる。また、開放端側である回転体側と逆側からカバー部材を装着しているので、ハンドルつまみに容易に装着できる。このため、ハンドルつまみの大部分をカバー可能なカバー部材の着脱が容易である。
【００１６】
発明７に係る釣り用リールのつまみ状ハンドル把手は、発明６に記載の把手において、ハンドルつまみは、回転体側に他の部分より小径の小径部を有し、カバー部材は、小径部を被覆可能な長さを有し、カバー部材を小径部被覆部分で固定する環状の固定部材をさらに備える。この場合には、小径部被覆部分で固定部材によりカバー部材を固定することによりカバー部材の回転体側もカバーできる。
【００１７】
発明８に係る釣り用リールのつまみ状ハンドル把手は、発明７に記載の把手において、固定部材は、加熱型収縮チューブである。この場合には、固定部材を加熱するだけで簡単にカバー部材を小径部被覆部分で固定できる。
【００１８】
発明９に係る釣り用リールのつまみ状ハンドル把手は、発明６に記載の把手において、カバー部材のハンドルアーム側の端部は絞り加工されている。この場合には、絞り加工によりカバー部材を抜け止めしているので、抜け止めが容易である。
【００１９】
発明１０に係る釣り用リールのつまみ状ハンドル把手は、発明１から４のいずれかに記載の把手において、ハンドルつまみは実質的に第２軸方向に長い棒状部材であり、その外周面に環状に形成された環状溝部を有し、カバー部材は環状溝部に実質的に面一となるように装着されている。この場合には、カバー部材を環状溝部にカバー部材を装着することにより指先が触れる外周部分にカバー部材を簡単に固定できる。
【００２０】
発明１１に係る釣り用リールのつまみ状ハンドル把手は、発明１から４のいずれかに記載の把手において、カバー部材は縫い合わされた２枚の皮革材料により構成されている。この場合には、ハンドルつまみの表面が複雑な曲面で構成されていても表面にカバー部材を沿わせやすくなる。
【００２１】
発明１２に係る釣り用リールのつまみ状ハンドル把手は、発明１から４のいずれかに記載の把手において、カバー部材は、ハンドルアームと逆側の端面を被覆可能にハンドルアーム側から装着され、ハンドルつまみのハンドルアームと逆側の端面に装着され端面でカバー部材を覆うキャップ部材をさらに備える。この場合には、カバー部材をハンドルアーム側から装着しても逆側の端面で余った部分を引っ張り込んでキャップ部材で蓋をすることにより簡単かつ確実にカバー部材を装着できる。また、キャップ部材により意匠を向上させることもできる。
【００２２】
発明１３に係る釣り用リールのつまみ状ハンドル把手は、発明１２に記載の把手において、キャップ部材は、ハンドルつまみの端面に着脱自在にねじ込み固定される。この場合には、キャップ部材を回すだけで着脱できるのでキャップ部材の着脱が容易である。
【００２３】
発明１４に係る釣り用リールのつまみ状ハンドル把手は、発明１から４のいずれかに記載の把手において、カバー部材の外周側に被覆された熱収縮性を有する筒状の収縮部材をさらに備える。この場合には、ハンドルつまみが複雑な曲面で構成されていても収縮部材を被せて加熱するだけでカバー部材を簡単にハンドルつまみに沿わせて固定できる。
【００２４】
発明１５に係る釣り用リールのつまみ状ハンドル把手は、発明１４に記載の把手において、収縮部材は、前記カバー部材の外周面を臨み得る開口を有する。この場合には、皮革製のカバー部材が開口から露出するので、収縮部材を透明にする必要がなくなる。また収縮部材との組み合わせでさらに複雑な意匠にできる。
【００２５】
発明１６に係る釣り用リールのつまみ状ハンドル把手は、発明１から１５のいずれかに記載の把手において、カバー部材は、ハンドルつまみに着脱自在に装着されている。この場合には、カバー部材が傷んでも簡単に交換できる。
【００２６】
発明１７に係る釣り用リールのつまみ状ハンドル把手は、発明１６に記載の把手において、カバー部材は、ハンドルアーム側に少なくとも外周面の一方から他方に向けて延びて重なり合う重畳部と、重畳部を係止するための面ファスナーとを有する。この場合には、重畳部で面ファスナーによりカバー部材を簡単に着脱自在に固定できる。
【００２７】
発明１８に係るハンドルつまみのカバー部材は、釣り用リールのリール本体に第１回転軸回りに回転自在に装着される回転体に第１回転軸と平行な第２回転軸回りに回転自在に装着され、手の指先で回転体を回転操作するための釣り用リールのハンドルつまみをカバーする部材であって、カバー部と、固定部とを備えている。カバー部は、ハンドルつまみの少なくとも外周面を外周面の表面に合わせてカバーする皮革素材製のものである。固定部は、カバー部をハンドルつまみに固定するためのものである。ハンドルつまみは、外周面が幅広面と幅狭面とを有する扁平棒状の部材である。カバー部は、糸により縫い合わされる少なくとも一つの縫い合わせ部を有する。縫い合わせ部は、ハンドルつまみの外周面の幅広面を避けて配置される。
【００２８】
このカバー部材では、ハンドルつまみが自然素材である皮革製のカバー部材に覆われている。このカバー部材は、ハンドルつまみの形状に合わせて製作して後付で装着することもできる。このため、たとえば合成樹脂より表面が滑りにくくなりかつハンドルつまみの材質の如何に関わらず高級感のある外観も得られる。また、皮革は木質素材に比べて丈夫で柔軟性があるため耐久性も維持できる。
【００２９】
発明１９に係るハンドルつまみのカバー部材は、発明１８に記載の部材において、カバー部は、皮革素材を前記ハンドルつまみの外周面を含む表面に合わせて袋縫いして形成されている。この場合には、外周面に加えて装着側端面もカバーでき、ハンドルつまみの大部分をカバーできる。また、袋縫いによりハンドルつまみの外形形状に合わせて形成しやすくなる。
【００３０】
発明２０に係るハンドルつまみのカバー部材は、発明１９に記載の部材において、カバー部は２枚の皮革部材を袋縫いして形成されている。この場合には、ハンドルつまみの表面が複雑な曲面で構成されていても表面にカバー部材を沿わせやすくなる。
【００３１】
発明２１に係るハンドルつまみのカバー部材は、発明１９又は２０に記載の部材において、ハンドルつまみの横断面は複数の角部を有する形状であり、カバー部の縫い合わせ部は角部に配置される。この場合には、他の部分より厚肉で脹らみやすい縫い合わせ部が指先に当たりにくくなり、指先でつまんだときの感触を損ねにくくなる。
【００３２】
発明２２に係るハンドルつまみのカバー部材は、発明１９又は２０に記載の部材において、ハンドルつまみの外側面には、第２回転軸方向に沿って溝部が形成されており、カバー部の縫い合わせ部と溝部に配置される。この場合には、皮革製のカバー部材を縫い合わせたときに他の部分より厚くなる縫い合わせ部が溝部にはまりこんで表面側に盛り上がりにくくなる。このため、つまみの見栄えが良好になるとともに、つまんだときに違和感が生じにくくなる。
【００３３】
発明２３に係るハンドルつまみのカバー部材は、発明１８から２２のいずれかに記載の部材において、固定部は、カバー部と一体形成され、カバー部より小径の小口を有している。この場合には、皮革素材を自身の弾性を利用して固定しているので固定構造が簡素になる。
【００３４】
発明２４に係るハンドルつまみのカバー部材は、発明１８から２２のいずれかに記載の部材において、固定部は、回転体側に少なくとも外周面の一方から他方に向けて延びて他方と重なり合う重畳部と、重畳部を係止するための面ファスナーとを有する。この場合には、重畳部で面ファスナーによりカバー部材を簡単に着脱自在に固定できる。
【００３５】
【発明の実施の形態】
〔実施形態１〕
図１及び図２において、本発明の一実施形態を採用した両軸受リールは、ベイトキャスト用のロープロフィール型のリールである。この両軸受リールは、リール本体１と、リール本体１の側方に配置されたスプール回転用のハンドル組立体２と、リール本体１の内部に回転自在かつ着脱自在に装着された糸巻用のスプール１２とを備えている。ハンドル組立体２のリール本体１側には、ドラグ調整用のスタードラグ３が設けられている。
【００３６】
リール本体１は、フレーム５と、フレーム５の両側方に装着された第１側カバー６ａ及び第２側カバー６ｂとを有している。また、リール本体１は、フレーム５の前方を覆う前カバー７と、上部を覆うサムレスト８とを有している。フレーム５は、左右に所定の間隔をあけて互いに対向するように配置された１対の側板５ａ，５ｂと、これらの側板５ａ，５ｂを連結する複数の連結部（図示せず）とを有している。フレーム５は、下側の連結部に設けられた竿装着部により釣り竿に装着可能である。
【００３７】
リール本体１の内部には、釣り竿０と交差する方向に配置されたスプール１２と、スプール１２に釣り糸を均一に巻き取るためのレベルワインド機構（図示せず）と、ハンドル組立体２の回転をスプールに伝達する回転伝達機構（図示せず）とが配置されている。回転伝達機構には、ハンドル組立体２が先端に装着されたハンドル軸２０と、ハンドル組立体２の回転をスプール１２に伝達・遮断（オンオフ）するクラッチ機構（図示せず）とドラグ機構（図示せず）とが設けられている。ハンドル軸２０は、リール本体１に第１回転軸Ｘ１回りに回転自在に支持されている。フレーム５の後部には、クラッチ機構をオンオフ操作するとともに、サミングの当てとなるクラッチレバー１７が揺動自在に装着されている。
【００３８】
ハンドル組立体２は、図２に示すように、ハンドル軸２０の先端に回転不能に装着されたハンドルアーム２１と、ハンドルアーム２１の両端に固定された把手軸２２と、把手軸２２に回転自在かつ軸方向移動不能に装着されたハンドル把手２３とを有している。
【００３９】
ハンドルアーム２１は、ハンドル軸２０の先端に回転不能に装着された座金２４と、座金２４に２本のビス２５によりネジ止めされハンドル軸２０の径方向両外方に延びる板状のアーム部２６とを有している。
【００４０】
座金２４は、両端が円形の変形菱形形状の、たとえばステンレス合金等の金属製の板状部材である。座金２４は、ハンドル軸２０の先端部周面に平行に形成された面取り部２０ａに係合する小判孔２４ａを中心部に有しており、これによりハンドル軸２０に回転不能に係止される。座金２４は、ハンドル軸２０の先端に装着されたナット２７によりハンドル軸２０に固定されている。座金２４の両端は、アーム部２６側に折れ曲がっている。この折れ曲がった両端にビス２５が装着されアーム部２６を取り付けている。このように両端を折り曲げることでビス２５の頭部が外方に向くため、アーム部２６を着脱する際にビス２５を回しやすくなる。
【００４１】
アーム部２６は、リール本体１側の内側面とリール本体１と逆側の外側面とが滑らかな曲線で構成された、たとえばアルミニウム合金等の金属製の板状の部材であり、中心部が両端部より肉厚が厚く膨らんでいる。内側面の中心部には、ナット２７を回転不能に係止するための回り止め穴２６ａが形成されている。回り止め穴２６ａの周囲及び長手方向両側には、座金２４を内側面と面一に収納するための収納凹部２６ｂが形成されている。この収納凹部２６ｂの輪郭は、座金２４の外形と略同一である。アーム部２６の外側面両端には、図３及び図４に示すように、リール本体１から離れる方向に突出する円筒状のボス部２６ｃが形成されている。ボス部２６ｃの中心部には、把手軸２２をネジにより固定するための第１ネジ穴２６ｄが形成されている。第１ネジ穴２６ｄは、ハンドル軸２０の第１回転軸Ｘ１と実質的とに平行な第２回転軸Ｘ２に沿って形成されかつボス部２６ｃの軸方向外方側にのみ開口するネジ穴であり、そこにはハンドル組立体２の巻き取り方向の回転と同じ右ネジが形成されている。このため、ボス部２６ｃは袋ナット状に構成され、アーム部２６の内側面には貫通孔や突出部等が形成されない。しかも、ハンドル組立体２を巻き取り方向に回転させても把手軸２２が緩みにくい。
【００４２】
把手軸２２は、図３及び図４に示すように、第１回転軸Ｘ１と実質的に平行な第２回転軸Ｘ２に沿って配置された、たとえばステンレス合金等の金属製の軸であり、基端に他の部分より小径の雄ネジ部２２ａが形成され、他端面に第２ネジ穴２２ｂが形成されている。また、雄ネジ部２２ａに隣接して他の部分より大径の工具係止部２２ｃが形成されている。雄ネジ部２２ａは、第１ネジ穴２６ｄに螺合しており、この螺合により把手軸２２がアーム部２６に固定される。工具係止部２２ｃの外周面には、スパナ等の工具を係止可能な平行な面取り部２２ｄが形成されている。把手軸２２の工具係止部２２ｃに隣接した外周部と先端外周部とには、転がり軸受３０ａ，３０ｂが配置されている。この転がり軸受３０ａ，３０ｂによりハンドル把手２３が把手軸２２に回転自在に支持される。転がり軸受３０ｂは、第２ネジ穴２２ｂに装着された丸頭ボルト２８により軸方向移動不能に装着されている。この丸頭ボルト２８は、軸受３０ｂを介してハンドル把手２３を把手軸２２に対して抜け止めしている。
【００４３】
ハンドル把手２３は、把手軸２２に回転自在かつ軸方向移動不能に装着されるハンドルつまみ２９と、ハンドルつまみ２９の外周側を覆うように装着された皮革製のカバー部材３３とを有している。ハンドルつまみ２９は、第２回転軸Ｘ２に沿った方向の長さが第２回転軸Ｘ２の径方向に沿った長さより長い扁平棒状の部材である。ハンドルつまみ２９は、把手軸２２に回転自在かつ軸方向移動不能に装着される硬質樹脂製の内側部材３１と、内側部材３１をインサート成形して形成された軟質樹脂製の外側部材３２とを有している。内側部材３１に用いる硬質樹脂としてはポリアセタールやナイロン樹脂などが好適である。また、外側部材３２に用いる軟質樹脂としては、ウレタンゴムや軟質塩化ビニル（ＰＶＣ）などの弾性体樹脂が好適である。さらにカバー部材３３に用いられる皮革素材としては、牛、豚、馬などの天然皮革に加えて天然皮革に類似した各種の合成皮革なども使用可能である。
【００４４】
内側部材３１は、図３〜図５に示すように、把手軸２２の外周側に配置され両端が拡径され内部を把手軸２２が貫通する筒部３１ａと、筒部３１ａの外周面から径方向外方に延びる板状の１対の翼部３１ｂと、翼部３１ｂを縁取りするように形成された縁部３１ｃとを有している。筒部３１ａの基端部内周面は、ボス部２６ｃの外周面に僅かな隙間をあけて対向している。筒部３１ａの拡径部分の内周に軸受３０ａ，３０ｂが装着されている。筒部３１ａの先端は、硬質樹脂製の蓋部材３５により塞がれている。この蓋部材３５は、ハンドル把手２３を把手軸２２に丸頭ボルト２８により装着した後、筒部３１ａの先端に装着固定される。
【００４５】
このように内側部材３１を３つの部分３１ａ〜３１ｃで構成することで、内側部材３１の肉厚の変動を抑え、成形時のひけを少なくすることができる。この結果、軸受３０ａ，３０ｂを収納する筒部３１ａの内周面の真円度を高く維持でき、筒部３１ａの内周を軸受収納のために機械加工する必要がなくなる。
【００４６】
外側部材３２は、成型時に金型内に内側部材３１を前述したようにインサートして得られる。外側部材３２は、図５に示すように、横断面が４つの角部３２ｂを有する扁平形状である。外側部材３２は、第２回転軸Ｘ２方向の中心部分が狭まった形状であり、その対向する主面に第２回転軸Ｘ２方向に沿ってなめらかに内側に湾曲したつまみ面３２ａが形成されている。つまみ面３２ａは、図２に示すように、つまんだときに右手の手の指先にフィットするように変形矩形状に形成されている。
【００４７】
カバー部材３３は、既存のハンドルつまみ２９に合わせて製作されたものであり、既存のリールのハンドルつまみ２９に後付可能なものである。カバー部材３３は、外側部材３２に沿うように２枚の皮革素材を糸により袋縫いして形成されたカバー部３３ａと、カバー部３３ａをハンドルつまみ２９に固定するための固定部３３ｂとを有している。
【００４８】
カバー部３３ａは、ハンドルつまみ２９の少なくとも外周面をカバーするものである。カバー部３３ａは、２枚の皮革素材の縫い合わせ部３３ｃが対向する２つの角部３２ｂに配置されるように形成されている。このように縫い合わせ部３３ｃを角部３２ｂに配置すると、他の部分より厚肉で脹らみやすい縫い合わせ部３３ｃが指先に当たりにくくなり、指先でつまんだときの感触を損ねにくくなる。また、厚肉になる縫い合わせ部３３ｃが角部３２ｂに強く当たるため、カバー部材３３が回りにくくなる。カバー部３３ａは、凹んだつまみ面３２ａに沿うように袋縫いされている。
【００４９】
固定部３３ｂは、カバー部３３ａの内側（ハンドルアーム２１側）の端部に形成されている。固定部３３ｂは、他の部分より小径の小口として形成されており、固定部３３ｂを押し広げてハンドルつまみ２９に外側（ハンドルアーム２１と逆側）から装着し、装着後に固定部３３ｂが狭まることによりカバー部材３３がハンドルつまみ２９に固定される。
【００５０】
このように構成されたハンドル組立体２では、ハンドルアーム２１のアーム部２６の両端に軸方向外方にのみ開口する第１ネジ穴２６ｄを形成し、第１ネジ穴２６ｄに把手軸２２を螺合させて固定しているので、アーム部２６の内側面に突出部がなくなり、この内側面に釣り糸が引っかかりにくくなり絡みにくくなる。また、座金２４をハンドル軸２０に固定し、その座金２４にアーム部２６を固定してハンドルアーム２１を構成しているので、アーム部２６の外側面も滑らかな形状にすることができ、外側面でも釣り糸が絡みにくくなる。しかも、座金２４をアーム部２６の収納凹部２６ｂに収納して内側面から突出しないようにしているので、アーム部２６の内側面の中心部での引っかかりも少なくなる。
【００５１】
また、皮革素材製のカバー部材３３を装着すると、ハンドル把手２３が、弾性体製の外側部材３２が露出したものより、自然な高級感があるものになる。しかも、皮革は木質素材に比べて丈夫で柔軟性があるため合成樹脂製のものと同様な耐久性も維持できる。
【００５２】
次にリールの動作について説明する。
【００５３】
キャスティング時には、クラッチレバー１７によりクラッチ機構を離脱状態にしてスプール１２を自由回転状態にする。この状態で釣り竿をキャスティングすると、ルアーの自重によりルアーが前方に飛行しスプール１２から釣り糸が繰り出される。このとき、バックラッシュ現象が発生すると糸ふけが生じ、釣り糸がリール本体１の後部から飛び出しハンドル組立体２に引っかかろうとする。しかし、前述したように、アーム部２６の内側面に突出部がないので釣り糸が引っかかりにくくなりアーム部２６に絡みにくくなる。
【００５４】
ルアーが着水すると、所定のタイミングでハンドル組立体２をわずかに巻き取り方向に回転させ、クラッチ機構を係合状態にする。するとスプール１２が繰り出し方向への回転が停止する。この状態でハンドル組立体２を回したり釣り竿を上下動させてルアーを泳がせて当たりを待つ。魚がルアーに掛かるとハンドル組立体２を巻き取り方向に回転させて魚を取り込む。このようにハンドル組立体２を巻き取り方向に回転させても、把手軸２２が巻き取り方向と同方向のネジにより固定されているので、把手軸２２が緩みにくい。
【００５５】
また、ハンドル把手２３をつまんだときに表面に皮革素材製のカバー部材３３が装着されているので、触ったときの感触が良好でかつ滑りにくくなる。また、高級感がある外観を得ることもできる。
【００５６】
〔実施形態２〕
前記実施形態１では、既存のハンドルつまみ２９に後付できにようにしたが、最初から専用の皮巻きハンドル把手として製作してもよい。
【００５７】
図６〜図８において、ハンドル把手４３は、ハンドルつまみ４９と、カバー部材５３とを有している。
【００５８】
ハンドルつまみ４９は、硬質樹脂製であり、図８に示すように、４つの角部４９ａと、角部の間にそれぞれ対向して１対ずつ形成された幅広面４９ｂ及び幅狭面４９ｃとを有する扁平形状の横断面を有している。幅広面は指先が触れるつまみ面となっている。ハンドルつまみ４９の内周部には、把手軸２２が貫通する貫通孔４９ｄが形成されている。ハンドルつまみ４９のハンドルアーム２１側には、他の部分より小径のボス部４９ｅが突出して形成されている。幅狭面４９ｃの一方には、図６及び図８に示すように、第２回転軸Ｘ２方向に長い溝部４９ｆが全長にわたり形成されている。溝部４９ｆは、カバー部材５３の縫い合わせ部５３ｃ（後述）をはめ込んでカバー部材５３が縫い合わせ部５３ｃで脹らまないようにするために設けられている。
【００５９】
貫通孔４９ｄは、両端が拡径されており、拡径された基端部内周面は、ボス部２６ｃの外周面に僅かな隙間をあけて対向している。貫通孔４９ｄの拡径部分の内周に軸受３０ａ，３０ｂが装着されている。貫通孔４９ｄの先端は、硬質樹脂製の蓋部材５５により塞がれている。
【００６０】
カバー部材５３は、外側部材３２に沿うように１枚の皮革素材を糸により袋縫いして形成されたカバー部５３ａと、カバー部５３ａをハンドルつまみ４９に固定するための蓋部材５５とを有している。この蓋部材５５は、カバー部５３ａの固定と貫通孔４９ｄの閉塞との２つの役割を担っている。
【００６１】
カバー部５３ａは、ハンドルつまみ４９の外周面をカバーするものである。カバー部５３ａは、皮革素材の縫い合わせ部５３ｃが対向する溝部４９ｆに配置されるように形成されている。このように縫い合わせ部５３ｃを溝部４９ｆに配置すると、他の部分より厚肉で脹らみやすい縫い合わせ部５３ｃが脹らまなくなり、外観の見栄えがよくなる。また、縫い合わせ部５３ｃが溝部４９ｆにはまり込むため、カバー部材５３が回りにくくなる。
【００６２】
カバー部５３ａの基端部は、ハンドルつまみ４９の基端面に沿ってボス部４９ｅの外周面に向けて絞られている。カバー部５３ａの先端部は、貫通孔４９ｄのせんたんに折り込まれている。この折り込まれた先端部が蓋部材５５により固定されている。
【００６３】
蓋部材５５は、大径の鍔部５５ａと小径のねじ部５５ｂとを有する硬質樹脂製の部材である。蓋部材５５の鍔部５５ａと貫通孔４９ｄの先端内周面との間には僅かな隙間が形成されており、そこにカバー部５３ａの先端部分が挟み込み固定されている。蓋部材５５は、貫通孔４９ｄを塞ぐとともにカバー部材５３を固定するために設けられている。
【００６４】
カバー部材５３は、ハンドル把手２３を把手軸２２に装着する前に、ハンドルつまみ４９に装着される。具体的には、カバー部５３ａをハンドルアーム２１側からハンドルつまみ４９に装着し先端側に引っ張る。この状態のハンドル把手４３を把手軸２２に装着し、ハンドル把手４３を把手軸２２に丸頭ボルト２８により装着する。そして、先端部を貫通孔４９ｄの先端内周に折り込み、蓋部材５５をねじ込むことにより、カバー部５３ａが固定されるとともに貫通孔４９ｄが閉塞される。
【００６５】
このような構成のハンドル把手４３は、予め皮巻きされたハンドル把手として提供される。これを既設のハンドル把手と交換してもよく、新たな両軸受リールに取り付けてもよい。
【００６６】
〔他の実施形態〕
（ａ）前記実施形態１では、カバー部材３３の小径の小口を固定部３３ｂとしたが、図９に示すように、カバー部材６３のカバー部６３ａのハンドルアーム２１側の端部を筒部３１ａの外周部分まで延ばし、その外周面をたとえば熱収縮性を有する樹脂リング６３ｂにより固定してもよい。
【００６７】
また、図１０に示すように、カバー部材７３のカバー部７３ａの外周面の一方から他方に向けて延びて他方と重なり合う重畳片７３ｃ，７３ｃと、重畳片７３ｃ，７３ｃを係止するための面ファスナー７３ｄ，７３ｄとにより固定部７３ｂを構成してもよい。重畳片７３ｃ，７３ｃは、たとえば、カバー部７３ａのハンドルアーム２１側の開口７３ｅを大きくとり、開口７３ｅの一部から逆側に向けて重畳可能な長さに形成すればよい。
【００６８】
（ｂ）前記実施形態２では、溝部４９ｆに縫い合わせ部５３ｃをはめ込むように構成したが、図１１に示すように、ハンドルつまみ７９の溝部７９ｆを横切る糸貫通孔７９ｇを形成し、糸貫通孔７９ｇに縫い糸９０を通して、ハンドルつまみ７９ごとカバー部材８３の縫い合わせ部８３ｃを縫い合わせてもよい。この場合、ハンドルつまみ７９にカバー部材８３をさらに強力に固定できる。
【００６９】
（ｃ）前記実施形態２ではカバー部の一端だけを固定しているが、図１２に示すように、カバー部材９３の外周側に被覆された熱収縮性を有する筒状の収縮部材１００により少なくとも両端を固定してもよい。なお、収縮部材１００により固定する場合、つまみ部分に開口する窓１０１を形成し、指がカバー部に接触可能に構成するのが好ましい。
【００７０】
この場合には、ハンドルつまみが複雑な曲面で構成されていても収縮部材１００を被せて加熱するだけでカバー部材９３を簡単にハンドルつまみに沿わせて固定できる。また、皮革製のカバー部材９３が窓１０１から露出するので、収縮部材１００を透明にする必要がなくなる。さらに、収縮部材１００との組み合わせでさらに複雑な意匠にできる。
【００７１】
（ｄ）前記実施形態では、両軸受リールを例に説明したが、本発明はスピニングリールや片軸受リール等の他形式の釣り用リールのハンドルつまみやそのカバー部材にも適用できる。
【００７２】
〔参考例〕
片軸受リールの場合、図１３に示すように、ハンドルアームではなくリール本体１１０に回転自在に装着されるスプール１１１の外フランジ部１１２にハンドルつまみ１１５が装着されている。ハンドルつまみ１１５は、外フランジ部１１２に第２回転軸Ｘ２に沿って立設された把手軸１１８にすべり軸受１１７を介して回転自在に装着されている。
【００７３】
ハンドルつまみ１１５は、丸棒状の木製部材であり、その外周面には環状に環状溝部１１５ｂが形成されており、そこに皮革製のカバー部材１１９が装着されている。カバー部材１１５は、環状溝部１１５ｂに実質的に面一となるように装着されており、第２回転軸Ｘ２方向の移動が規制されている。また、回転方向の移動は、実施形態２に示したような図示しない溝部に縫い合わせ部がはまり込むことにより防止されている。
【００７４】
【発明の効果】
本発明によれば、第２回転軸方向の長さが長い棒状のハンドルつまみが皮革製のカバー部材に覆われている。このため、たとえば合成樹脂より表面が滑りにくくなりかつ高級感のある外観が得られる。また、皮革は木質素材に比べて丈夫で柔軟性があるため耐久性も維持できる。
【図面の簡単な説明】
【図１】  本発明の実施形態１を採用した両軸受リールの斜視図。
【図２】  その平面一部破断図。
【図３】  ハンドル組立体の断面拡大図。
【図４】  図３のIV−IV断面図。
【図５】  図３のＶ−Ｖ断面図。
【図６】  実施形態２の図３に相当する図。
【図７】  実施形態２の図４に相当する図。
【図８】  実施形態２の図５に相当する図。
【図９】  他の実施形態の図３に相当する図。
【図１０】  さらに他の実施形態のカバー部材の斜視図。
【図１１】  さらに他の実施形態の図５に相当する図。
【図１２】  さらに他の実施形態の装着状態のカバー部材の平面図。
【図１３】  さらに他の実施形態を採用した片軸受リールの断面図。
【符号の説明】
１  リール本体
２１  ハンドルアーム
２３，４３  ハンドル把手
２９，４９，７９，１１５  ハンドルつまみ
筒部３１ａ（小径部）
３２ｂ  角部
３３，５３，６３，７３，９３，１１９  カバー部材
３３ａ，５３ａ，６３ａ，７３ａ  カバー部
３３ｂ，７３ｂ  固定部
３３ｃ，５３ｃ，８３ｃ  縫い合わせ部
４９ｆ  溝部
５５  蓋部材
６３ｂ  樹脂リング
７３ｃ  重畳片
７３ｄ  面ファスナー
７９ｇ  糸貫通孔
９０  縫い糸
１００  収縮部材
１０１  窓
１１０  リール本体
１１２  外フランジ部
１１５ｂ  環状溝部
Ｘ１  第１回転軸
Ｘ２  第２回転軸
【図１】
0004808336.tif 000002
【図２】
0004808336.tif 000003
【図３】
0004808336.tif 000004
【図４】
0004808336.tif 000005
【図５】
0004808336.tif 000006
【図６】
0004808336.tif 000007
【図７】
0004808336.tif 000008
【図８】
0004808336.tif 000009
【図９】
0004808336.tif 000010
【図１０】
0004808336.tif 000011
【図１１】
0004808336.tif 000012
【図１２】
0004808336.tif 000013
【図１３】
0004808336.tif 000014